(57)【要約】【課題】  携帯端末の撮像処理を撮像動作の途中から容易にキャンセルできることを課題とする。【解決手段】  被写体を撮像する撮像手段と、撮像手段を操作制御する複数点の接触を検知可能なタッチパネルを有する携帯端末において、タッチパネル上に撮像手段の撮像準備処理を行う第１のボタンを表示生成する第１ボタン生成手段と、タッチパネル上に撮像手段の撮像処理を行う第２のボタンを表示生成する第２ボタン生成手段とを有し、第１のボタンの第１の操作により、撮像手段を撮像準備状態に移行させる撮像準備状態移行手段と、撮像準備状態に移行後、第２のボタンの操作により、撮像手段で得られる撮像画像を記憶する撮像画像記憶手段と、第１のボタンの第２の操作により、撮像準備状態移行手段により移行された撮像手段の撮像準備状態を解除する撮像準備解除手段を有することを特徴とする。【選択図】図１
2016058930.tif 000002
【特許請求の範囲】
【請求項１】
被写体を撮像する撮像手段と、前記撮像手段を操作制御する複数点の接触を検知可能なタッチパネルを有する携帯端末において、
前記タッチパネル上に前記撮像手段の撮像準備処理を行う第１のボタンを表示生成する第１ボタン生成手段と、
前記タッチパネル上に前記撮像手段の撮像処理を行う第２のボタンを表示生成する第２ボタン生成手段とを有し、
前記第１ボタン生成手段により表示生成された第１のボタンの第１の操作により、前記撮像手段を撮像準備状態に移行させる撮像準備状態移行手段と、
前記撮像準備状態移行手段により撮像準備状態に移行後、前記第２ボタン生成手段により表示生成された第２のボタンの操作により、前記撮像手段で得られる撮像画像を記憶する撮像画像記憶手段と、
前記第１のボタンの第２の操作により、前記撮像準備状態移行手段により移行された前記撮像手段の撮像準備状態を解除する撮像準備解除手段と
を有することを特徴とする携帯端末。
【請求項２】
前記第１のボタンの第１の操作とは、前記第１のボタンを押下する操作であり、
前記第１のボタンの第２の操作とは、前記第１のボタンを再度押下する操作であることを特徴とする請求項１に記載の携帯端末。
【請求項３】
前記第１のボタンの第１の操作とは、前記第１のボタンを押下した状態を保持する操作であり、
前記第１のボタンの第２の操作とは、前記第１のボタンを押下し続けている状態を解除する操作であることを特徴とする請求項１に記載の携帯端末。
【請求項４】
前記撮像準備解除手段により前記撮像手段の撮像準備状態が解除されると、前記撮像画像記憶手段で記憶された撮像画像を表示する撮像画像表示手段を有し、
前記撮像準備解除手段は、前記撮像画像記憶手段により撮像画像が記憶され、前記第１のボタンの第２の操作を受け付けると、前記撮像画像表示手段による撮像画像を表示し、前記撮像画像記憶手段により撮像画像が記憶されておらず、前記第１のボタンの第２の操作を受け付けると、前記撮像画像記憶手段に記憶された撮像画像を表示せず、前記撮像手段の撮像準備状態を解除することを特徴とする請求項１乃至３のうち少なくとも１つに記載の携帯端末。
【請求項５】
被写体を撮像する撮像手段と、前記撮像手段を操作制御する複数点の接触を検知可能なタッチパネルを有する携帯端末における撮像制御方法であって、
前記タッチパネル上に前記撮像手段の撮像準備処理を行う第１のボタンを表示生成する第１ボタン生成ステップと、
前記タッチパネル上に前記撮像手段の撮像処理を行う第２のボタンを表示生成する第２ボタン生成ステップとを有し、
前記第１ボタン生成ステップにより表示生成された第１のボタンの第１の操作により、前記撮像手段を撮像準備状態に移行させる撮像準備状態移行ステップと、
前記撮像準備状態移行ステップにより撮像準備状態に移行後、前記第２ボタン生成ステップにより表示生成された第２のボタンの操作により、前記撮像手段で得られる撮像画像を記憶部に登録する撮像画像登録ステップと、
前記第１のボタンの第２の操作により、前記撮像準備状態移行ステップにより移行された前記撮像手段の撮像準備状態を解除する撮像準備解除ステップと
を有することを特徴とする撮像制御方法。
【請求項６】
請求項５に記載された撮像制御方法を携帯端末に実行させるためのプログラム。
【発明の詳細な説明】
【技術分野】
【０００１】
本発明は、携帯端末における撮像制御方法の技術に関する。
【背景技術】
【０００２】
液晶ディスプレイ上のタッチパネル操作により撮像できる撮像機能を有する携帯端末は、タッチパネルに指などが接触した際に焦点距離（フォーカス）を合わせて、指を離すと撮像画像を取得する構成になっている。この構成により、ユーザは指のタッチ操作のみで撮像画像が取得可能である。
【０００３】
しかし、ユーザの指によるこの操作の場合、ユーザが指をタッチパネルに接触させた後で、今の撮像画像が必要ないと判断しても指を離せば撮像されてしまう。その後、撮像されてしまった撮像画像を保存しないためには、保存するかしないかの判断を促す機能により保存しない選択をするか、もしくは保存されてしまった画像を削除するしかない。
【０００４】
特許文献１のシステムでは、タッチパネルへの押圧荷重により、複数の撮影準備処理、撮影処理を実行する電子カメラが開示されている。
【先行技術文献】
【特許文献】
【０００５】
【特許文献１】特開２０１２−１３４８６１号公報
【発明の概要】
【発明が解決しようとする課題】
【０００６】
特許文献１の電子カメラを用いれば、タッチパネルへの２段階の押圧荷重により、タッチパネルへの１段階目の押下で焦点距離を合わせた後、その画像が必要ないと判断した場合、指の押下を離せば、画像は撮像せずに処理を終えることができる。
【０００７】
しかしながら、タッチパネルへの２段階以上の押圧荷重は、ユーザの操作が難しく、また手袋をした状態で押下した場合などは、押圧荷重の段階を制御することは困難である。
【０００８】
本発明の目的は、上記課題を解決するためになされたものであり、タッチパネル上のボタンを利用して画像を撮像する携帯端末において、ユーザの撮像操作をキャンセルする処理を容易にすることである。
【課題を解決するための手段】
【０００９】
上記課題を解決するために、本発明は、被写体を撮像する撮像手段と、前記撮像手段を操作制御する複数点の接触を検知可能なタッチパネルを有する携帯端末において、前記タッチパネル上に前記撮像手段の撮像準備処理を行う第１のボタンを表示生成する第１ボタン生成手段と、前記タッチパネル上に前記撮像手段の撮像処理を行う第２のボタンを表示生成する第２ボタン生成手段とを有し、前記第１ボタン生成手段により表示生成された第１のボタンの第１の操作により、前記撮像手段を撮像準備状態に移行させる撮像準備状態移行手段と、前記撮像準備状態移行手段により撮像準備状態に移行後、前記第２ボタン生成手段により表示生成された第２のボタンの操作により、前記撮像手段で得られる撮像画像を記憶する撮像画像記憶手段と、前記第１のボタンの第２の操作により、前記撮像準備状態移行手段により移行された前記撮像手段の撮像準備状態を解除する撮像準備解除手段とを有することを特徴とする。
【発明の効果】
【００１０】
本発明によれば、タッチパネル上のボタンを利用して画像を撮像する携帯端末において、ユーザの撮像操作をキャンセルする処理を容易にするという効果を有する。
【図面の簡単な説明】
【００１１】
【図１】本実施形態における携帯端末１００の外観図である。
【図２】本実施形態における携帯端末１００の構成例を示すブロック図である。
【図３】本実施形態における携帯端末１００の全体的な動作を示すフローチャートである。
【図４】本実施形態における携帯端末１００の撮像モードを示す状態遷移図である。
【図５】本実施形態の携帯端末１００の表示部１０１に表示される撮像画像のイメージ図である。
【発明を実施するための形態】
【００１２】
以下、添付の図面を参照して本発明の好適な実施形態を説明する。
［携帯端末の構成について］
【００１３】
以下、添付図面を参照しながら、本発明に係る携帯端末の実施形態について詳細に説明する。
【００１４】
図１は、本発明に係る携帯端末１００の外観の一例を示す外観図である。本発明の携帯端末１００は、例えば、携帯情報端末（ＰＤＡ）や、スマートフォンのように、タッチパネル機能を持つ表示部１０１と、ボタン１０２を備えている。表示部１０１は、液晶パネルのような表示制御部と、タッチパッドのような位置入力制御部とを組み合わせた電子部品であり、タッチパネルとも呼ばれる。
【００１５】
表示部１０１のタッチパネルは、指先と電導膜との間での静電容量の変化をとらえて位置を検出する静電容量方式の投影型であり、複数点の位置検出が可能なマルチタッチ機能を備えているマルチタッチスクリーンである。なお、２本の指の位置検出ができるマルチタッチ機能は、既知の技術であるため詳細な説明は省略する。
【００１６】
ボタン１０２は、携帯端末で実行されているアプリケーションプログラム（以下、単にアプリケーションと呼ぶ）を終了させるためのボタンである。なお、アプリケーションの起動は、表示部１０１のタッチパネル機能を用いて、画面に表示されるアプリケーションのアイコンをダブルクリック（２度続けて触る）ことにより実行される。
【００１７】
図１の背面には、携帯端末で撮像するための撮像用レンズ１０３を有しており、撮像用レンズ１０３により、携帯端末の背面側の画像を撮像することができる。
【００１８】
携帯端末１００は、他にも通信機能等を備えていてもよいが、本発明とは直接関係がないため説明は省略する。
【００１９】
図２を参照して図１に示すスマートデバイス等の容易に持ち運び可能な携帯端末１００のハードウェア構成について説明する。ＣＰＵ２０１は、システムバス２０４に接続される各デバイスやコントローラを統括的に制御する。
【００２０】
また、ＲＯＭ２０２あるいはフラッシュメモリ２１４（記憶手段）には、ＣＰＵ２０１の制御プログラムであるＢＩＯＳ（Ｂａｓｉｃ  Ｉｎｐｕｔ／ＯｕｔｐｕｔＳｙｓｔｅｍ）やオペレーティングシステムプログラム（以下、ＯＳ）や、当該携帯端末１００が実行する機能を実現するために必要な、後述する各種プログラム等が記憶されている。ＲＡＭ２０３は、ＣＰＵ２０１の主メモリ、ワークエリア等として機能する。
【００２１】
ＣＰＵ２０１は、処理の実行に際して必要なプログラム等をＲＡＭ２０３にロードして、プログラムを実行することで各種動作を実現するものである。また、携帯端末１００には、ＧＰＳ衛星からの信号を受信して現在位置情報を取得可能なＧＰＳ受信手段２１５（位置情報取得手段）が設けられており、ＣＰＵ２０１は、ＧＰＳ受信手段２１５からのＧＰＳ座標情報（位置情報）の取得制御を行う。
【００２２】
また、入力コントローラ２０５は、タッチパネル２１０、マイク２１１、カメラ２１２からの入力を制御する。タッチパネル２１０からはユーザのタッチ操作に関する入力を制御し、マイク２１１からは音声の入力を制御し、更にカメラ２１２（撮像手段）からは撮像された静止画、動画の入力を制御する。出力コントローラ２０６は、タッチパネル２１０への画像出力、スピーカー２１３への音声出力を制御する。
【００２３】
タッチパネル２１０は、ユーザからのタッチ操作を検知すると共に、前述した出力コントローラ２０６から送られた映像（画像）を表示する。タッチパネル２１０は、表示器と位置入力装置とが一体となった部品である。複数の箇所に対するタッチ操作（以下、マルチタッチ）も検知可能である。
【００２４】
メモリコントローラ（ＭＣ）２０７は、ブートプログラム、ブラウザソフトウエア、各種のアプリケーション、フォントデータ、ユーザファイル、編集ファイル、各種データ等を記憶するフラッシュメモリ２１４へのアクセスを制御する。本実施形態においては、フラッシュメモリとして説明を行うが、ハードディスク（ＨＤ）やフレキシブルディスク（ＦＤ）或いはＰＣＭＣＩＡカードスロットにアダプタを介して接続されるカード型メモリ等の記憶媒体であってもよい。
【００２５】
通信Ｉ／Ｆコントローラ２０９は、ネットワークを介して、外部機器と接続・通信するものであり、ネットワークでの通信制御処理を実行する。例えば、ＴＣＰ／ＩＰを用いたインターネット通信等が可能である。そして、このようなネットワークを介して、携帯端末１００は、ＧＰＳ受信手段で受信した座標情報等をＷｅｂ会議サーバ１０３に送信することができる。
【００２６】
尚、ＣＰＵ２０１は、例えばＲＡＭ２０３内の表示情報用領域へアウトラインフォントの展開（ラスタライズ）処理を実行することにより、タッチパネル２１０上での表示を可能としている。
【００２７】
本実施形態の携帯端末１００が後述する各種処理を実行するために用いられる各種プログラム等はフラッシュメモリ２１４に記録されており、必要に応じてＲＡＭ２０３にロードされることによりＣＰＵ２０１によって実行可能である。さらに、本実施形態に係わるプログラムが用いる定義ファイルや各種情報テーブルもフラッシュメモリ２１４に格納しておくことができる。
［携帯端末の撮像動作について]
【００２８】
次に、本発明に係る携帯端末１００の撮像処理の流れを図３を参照して説明する。
【００２９】
図３は、本実施形態の携帯端末１００の撮像動作を説明するフローチャートである。このフローチャートにおける各処理は、ＣＰＵ２０１がフラッシュメモリ２１４等に格納されたプログラムをＲＡＭ２０３に展開して実行することにより実現される。
【００３０】
まず、携帯端末１００において、表示部１０１のタッチパネル機能を用いて、画面に表示される撮像アプリケーションのアイコンをダブルクリックすることにより、撮像アプリケーションが起動し、図３のフローチャートが開始される。
【００３１】
ステップＳ３０１において、携帯端末１００のＣＰＵ２０１は、まずタッチパネル上にユーザが押下するためのボタンを２つ生成し、表示する。２つのボタンを表示した例を図５の５００を参照して説明する。
【００３２】
図５は、本実施形態の携帯端末１００の撮像時の表示部１０１の画面イメージを示した模式図である。
【００３３】
図５の５００は、携帯端末１００の表示部１０１（タッチパネル２１０）上の画面イメージであり、タッチパネル２１０上に５０１と５０２の２つのボタンが表示されている。これら２つのボタンが押下されないと撮像しない構成とすることにより、タッチパネルによる撮像において、タッチパネルへの接触後でも撮像をキャンセルすることを容易にする発明である。なお、終了ボタン５０４を押下すると撮像アプリケーションを終了する。図３のフローチャートの説明に戻る。
【００３４】
次に、図３のステップＳ３０２において、携帯端末１００のＣＰＵ２０１は、撮像用レンズ１０３を通して撮像している画像をライブビューとして、表示部１０１に表示する。表示されている例を図５の５００を参照して説明する。
【００３５】
図５の５００において、表示部１０１には、５０３のようなライブビュー画像を表示している。なお、ライブビューを表示しているレイヤの上に２つのボタン５０１と５０２を表示することにより、ライブビューを表示しつつ２つのボタン５０１と５０２を表示している。図３のフローチャートの説明に戻る。
【００３６】
次に、図３のステップＳ３０３において、携帯端末１００のＣＰＵ２０１は、２つのボタン５０１と５０２の内の１つのボタンが押下されたかどうかを判断する。
【００３７】
２つのボタン５０１と５０２の内の１つのボタンが押下されていれば、次のステップＳ３０５へと処理を移行し、２つのボタン５０１と５０２の内の１つのボタンも押下されていない場合は、ステップＳ３０４へと処理を移行する。
【００３８】
ステップＳ３０４へと処理を移行すると、携帯端末１００のＣＰＵ２０１は、終了ボタン５０４が押下されたかどうかを判断する。終了ボタン５０４が押下されると、本願発明の処理を終え、撮像アプリケーションを終了する。
【００３９】
一方、ステップＳ３０４において、終了ボタンが押下されていない場合は、ステップＳ３０２へと処理を戻し、ライブビューを表示する処理を行う。
【００４０】
また、ステップＳ３０３において、２つのボタン５０１と５０２の内の１つのボタン（１つ目ボタン）が押下されたと判断された場合、次のステップＳ３０５へと処理を移行し、ステップＳ３０５において、携帯端末１００のＣＰＵ２０１は、撮像準備処理を行う。具体的には、撮像している画像の測距処理を行って撮像用レンズ１０３の焦点を被写体に合わせるとともに（オートフォーカス処理）、測光処理を行って絞り値及びシャッタースピードを決定する（露出決定処理）。尚、測光処理において、必要であればフラッシュの設定も行われる。このとき、顔が検出されていれば、検出した顔の範囲で測距を行う顔オートフォーカスを行うようにすることも可能である。１つ目ボタンを押下した例を図５の５１０を参照して説明する。
【００４１】
図５の５１０は、携帯端末１００の表示部１０１（タッチパネル２１０）上の画面イメージであり、タッチパネル２１０上の５０２をユーザがタッチしたイメージである。この段階で、携帯端末１００のＣＰＵ２０１は、撮像準備処理（オートフォーカス処理や露出決定処理）を実行する。５１１は、顔オートフォーカスを実行した結果を示すイメージであり、この段階では撮像画像は、フラッシュメモリ２１４には記憶してはいない。図３のフローチャートの説明に戻る。
【００４２】
次に、図３のステップＳ３０６において、携帯端末１００のＣＰＵ２０１は、ステップＳ３０３で押下された１つ目ボタンが押下されたままか、リリースされているかにより処理を分ける。ステップＳ３０６において１つ目ボタンがリリースされている（指が離れている）場合は、ステップＳ３０２へと処理を戻し、ライブビューを表示する処理を行う。この判断分岐により、ユーザが一度タッチパネルに接触した後でも撮像画像を記憶せずに撮像操作を止めることができる。
【００４３】
一方、ステップＳ３０６において、１つ目ボタンが押下されたままの場合は、ステップＳ３０７の処理へと移行する。
【００４４】
ステップＳ３０７において、携帯端末１００のＣＰＵ２０１は、２つのボタン５０１と５０２の内のもう１つのボタン（２つ目ボタン）が押下されたかを判断する。
【００４５】
ステップＳ３０７において、２つ目ボタンが押下されていれば、ステップＳ３０８へと処理を移行して撮像画像を記憶し、以降の処理を継続する。２つ目ボタンが押下されていなければ、ステップＳ３０５へと処理を戻し、再び撮像準備処理を行う。なお、ステップＳ３０５の処理に戻るたびに、ステップＳ３０５において、撮像している画像をライブビューとして、表示部１０１に表示する処理も行う。
【００４６】
ステップＳ３０８へと処理を移行すると、携帯端末１００のＣＰＵ２０１は、撮像している画像をフラッシュメモリ２１４に記憶する。２つ目ボタンを押下した例を図５の５２０を参照して説明する。
【００４７】
図５の５２０は、携帯端末１００の表示部１０１（タッチパネル２１０）上の画面イメージであり、ユーザがタッチパネル２１０上の５０２をタッチしたまま、５０１をタッチしたイメージである。この段階で、携帯端末１００のＣＰＵ２０１は、撮像処理、すなわち撮像画像をフラッシュメモリ２１４に記憶する処理を実行する。図３のフローチャートの説明に戻る。
【００４８】
次に、携帯端末１００のＣＰＵ２０１は、図３のステップＳ３０９において、再びステップＳ３０５と同様の撮像準備処理を行う。
【００４９】
次のステップＳ３１０において、携帯端末１００のＣＰＵ２０１は、１つ目ボタンがリリースされた（指が離れている）かどうかを判断する。１つ目ボタンがリリースされている場合は、ステップＳ３１２へと移行し、撮像画像の確認画面表示処理を実行する。一方、１つ目ボタンをユーザが押し続けている（触れている）状態であれば、ステップＳ３１１へと移行し、撮像を継続する処理を実行する。
【００５０】
ステップＳ３１１へと処理を移行すると、携帯端末１００のＣＰＵ２０１は、２つのボタン５０１と５０２の内のもう１つのボタン（２つ目ボタン）が押下されているかどうかを判断する。２つ目ボタンが押下されていると、ステップＳ３０８へと処理を移行し、再び撮像処理を実行する。一方、２つ目ボタンが押下されていないと判断されると、再び撮像準備処理へと移行し、いつでも撮像可能な状態を維持する。
【００５１】
また、ステップＳ３１０において、１つ目ボタンがリリースされている場合は、ステップＳ３１２へと処理を移行し、携帯端末１００のＣＰＵ２０１は、撮像画像確認のために、直前に撮像した撮像画像をフラッシュメモリ２１４から読み出し、表示部１０１に表示する。
【００５２】
このステップＳ３０８からステップＳ３１２の処理により、ユーザは、１つ目ボタンを押下したまま２つ目のボタンを押下して撮像後、１つ目ボタンを離さずにいると引き続き撮像モードでライブビューが表示され撮像を継続でき、１つ目ボタンを外すと画像の再生モードに移行し、撮像画像を確認することができる。これらの処理により、従来の携帯端末１００のように、撮像毎に確認画面を表示する設定にしている場合、継続して撮像したい場合に撮像チャンスを逃すことがあるが、その撮像チャンスを逃すことを防ぐことができ、また、撮像毎に確認画面を表示しない設定（継続して撮像を続ける設定）にしているときに、撮像画像を確認したい場合、一旦撮像モードを抜けて画像閲覧モードに移行しなくても、直前の撮像画像を確認することができるという利点が生じる。
【００５３】
ステップＳ３１２において、携帯端末１００のＣＰＵ２０１は、撮像画像の確認処理をユーザから受け付け、撮像画像をフラッシュメモリ２１４から読み出して撮像順に順次、ユーザに閲覧させる。ユーザへの撮像画像の閲覧処理は、既知の技術であるため詳細な説明は省略する。
【００５４】
次に、ステップＳ３１３において、携帯端末１００のＣＰＵ２０１は、ユーザから確認画面終了ボタン（不図示）が押下されるか、ユーザの操作が一定時間ない場合（タイムアウト）に、処理をステップＳ３０２のライブビュー表示処理へと戻し、撮像アプリケーションを継続する。
【００５５】
以上のように、２つのボタンによる撮像処理によって、たとえば、手袋をしている状態でタッチパネルに操作するときのように、引用文献１のような指の押圧荷重を感じ取れない場合でも、撮像をキャンセルすることができる。また、２つのボタンをタッチパネルの両端に配置することにより、右利きユーザでも左利きユーザでも簡単に撮像操作をすることができるという利点も生じる。
【００５６】
なお、２つのボタンの表示位置は、５０１と５０２のようにタッチパネル２１０の両端に配置しても良いし、どちらか一方に配置しても良い。例えば、携帯端末を縦向き（長辺方向を地面と垂直）に持った場合は、２つのボタンをタッチパネル２１０の下側に２つ配置しても良い。
【００５７】
図３のフローチャートを図４の状態遷移図を参照して説明する。
【００５８】
図４は、本実施形態の携帯端末１００の撮像状態を説明する状態遷移図である。この状態遷移図における各状態は、携帯端末１００のタッチパネル２０１の操作により遷移する状態である。
【００５９】
まず、携帯端末１００は、撮像アプリケーションの開始状態４００から、ボタンが何も押されていない状態（ボタン未押下状態）４０１へと状態を遷移する。その後、１つ目ボタンが押下されると、携帯端末１００は、撮像準備状態４０２へと遷移し、１つ目ボタンの押下を止めると、ボタン未押下状態４０１へと遷移する。撮像準備状態４０２においては、携帯端末１００は、撮像している画像のオートフォーカス処理や露光決定処理を実行する。
【００６０】
撮像準備状態４０２から２つ目ボタンが押下されると、撮像状態４０３へと遷移し、撮像状態４０３では、携帯端末１００は、撮像している画像をフラッシュメモリ２１４に記憶する。撮像状態４０３は２つ目ボタンが押下されている間、撮像画像を記憶しても良い（すなわち、連写状態）。
【００６１】
一度撮像状態４０３に遷移した後で、２つ目ボタンの押下を止める（リリースされる）と、携帯端末１００は、撮像準備状態（撮像後）４０４へと遷移し、撮像準備状態４０２とは異なる遷移状態となる。撮像準備状態（撮像後）４０４では、２つ目ボタンが押下されれば、撮像準備状態４０２と同じように、撮像状態４０３へと遷移するが、撮像準備状態（撮像後）４０４の状態で１つ目ボタンの押下を止める（リリースされる）と、携帯端末１００は、撮像画像確認画面状態４０５へと遷移し、撮像準備状態を解除して撮像した画像をユーザの操作により閲覧可能な状態とする。
【００６２】
その後、撮像画像確認画面状態から確認画面終了ボタンの押下、もしくはタイムアウトを受け付けると、携帯端末１００は、ボタン未押下状態へと遷移する。アプリケーション終了ボタンを受け付けると、撮像アプリケーションの終了状態４０６へと遷移する。
【００６３】
以上の状態遷移図の説明の通り、本願発明は、撮像準備状態４０２において、撮像を容易にキャンセルできるところが本願発明の特徴であり、また、撮像準備状態（撮像後）４０４から、継続して撮像するか確認画面を表示するかを容易に選択できるところが特徴でもある。
【００６４】
以上の処理により、ユーザが撮像処理をタッチパネルへ接触させた後でも容易にキャンセルする処理を実現可能とすることができる。
【００６５】
なお、１つ目ボタンを押下している状態を維持して、２つ目ボタンを押下した際に撮像処理を実行する実施形態で記載したが、１つ目ボタンを押下後、１つ目ボタンをタッチパネルから離し、２つ目ボタンを押下することにより、撮像処理を行ってもよい。その際は、１つ目ボタンを押下後に撮像処理をキャンセルするには、もう一度１つ目ボタンを押下させる処理により、実現させることができる。
【００６６】
以上、携帯端末により本発明を説明したが、本発明の適用はこれに限られるものではなく、撮像機能を有する機器でありタッチパネルを有する者であれば、撮像装置でも適用が可能である。
【００６７】
また、本発明は、複数の機器から構成されるシステムに適用しても良いし、また、一つの機器からなる装置に適用しても良い。
【００６８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００６９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００７０】
その場合、プログラムの機能を有していれば、オブジェクトコード、インタプリタにより実行されるプログラム、ＯＳに供給するスクリプトデータ等、プログラムの形態を問わない。
【００７１】
プログラムを供給するためのコンピュータ読み取り可能な記憶媒体、或いは、記録媒体としては以下に示すものが考えられる。例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤＲＯＭ、ＤＶＤ−Ｒ、ＤＶＤ−ＲＷ等である。また、光／光磁気記録媒体不揮発性の半導体メモリでもよい。
【００７２】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【００７３】
ここで、プログラムデータファイルとしては、圧縮され、本発明を形成するコンピュータプログラムと自動インストール機能を含むファイル等も含まれる。
【００７４】
この場合、プログラムデータファイルを複数のセグメントファイルに分割し、セグメントファイルを異なるサーバに配置することも可能である。
【００７５】
つまり、本発明の機能処理をコンピュータで実現するためのプログラムデータファイルを複数のユーザに対してダウンロードさせるサーバ装置も本発明に含む。
【００７６】
また、上述の実施形態の機能を実現するプログラムを暗号化し記録媒体に格納してユーザに配布し、所定の条件を満たしたユーザに対して暗号化を解く鍵情報を、ネットワークを介してダウンロードさせることによって供給するような方法も考えられる。その鍵情報を使用することにより暗号化されたプログラムを実行してコンピュータにインストールさせて本発明を実現することも可能である。
【００７７】
コンピュータが供給されたプログラムコードを実行することにより、上述の実施形態の機能が実現される。また、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれる。
【００７８】
さらに、供給されたプログラムコードがコンピュータの機能拡張ボードやコンピュータに接続された機能拡張ユニットに備わるメモリに格納される場合にも本発明に含まれる。また、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【符号の説明】
【００７９】
１００  携帯端末
１０１  表示部
１０２  ボタン
１０３  撮像用レンズ
【図１】
2016058930.tif 000003
【図２】
2016058930.tif 000004
【図３】
2016058930.tif 000005
【図４】
2016058930.tif 000006
【図５】
2016058930.tif 000007